(57)【要約】      （修正有）【課題】暗い場所において表示を見る際の操作の安全性を向上させる。【解決手段】計時開始からの経過時間を表示する表示部５と、表示部５に光を照射する点灯部６と、第１の点灯時間と該第１の点灯時間より長い第２の点灯時間のうちいずれか一つの点灯時間、点灯部６を点灯させる制御部１０と、を備え、制御部１０は、計時を開始したとき及び予め決められた動作モードのときに、第２の点灯時間で点灯部６を点灯することにより表示部５を照明する。【選択図】図１
2013156017.tif 000002
【特許請求の範囲】
【請求項１】
表示部を光らせる点灯部と、
第１の点灯時間と該第１の点灯時間より長い第２の点灯時間のうちいずれか一つの点灯時間、前記点灯部を点灯させる制御部と、
を備えることを特徴とする計時装置。
【請求項２】
前記制御部は、計時を開始した場合、前記第２の点灯時間、前記点灯部を点灯させることを特徴とする請求項１に記載の計時装置。
【請求項３】
前記制御部は、予め決められた動作モードのときに、前記第２の点灯時間、前記点灯部を点灯させることを特徴とする請求項２に記載の計時装置。
【請求項４】
前記予め決められた動作モードは、暗い場所で使用するナイトランモードであることを特徴とする請求項３に記載の計時装置。
【請求項５】
前記制御部は、予め決められた目標時間に基づいて、前記点灯部を点灯または消灯させることを特徴とする請求項１から４のいずれか一項に記載の計時装置。
【請求項６】
前記第２の点灯時間は、前記目標時間に所定時間を加算した時間であり、
前記制御部は、前記目標時間に所定時間を加算した時間、前記点灯部を点灯させることを特徴とする請求項５に記載の計時装置。
【請求項７】
前記制御部は、前記第２の点灯時間経過後に前記点灯部を消灯させた後に、計時開始を起点として前記目標時間より第２の所定時間だけ短い時間経過時に前記点灯部の点灯を開始させ、前記計時開始を起点として前記目標時間より第３の所定時間だけ長い時間経過時に前記点灯部を消灯させることを特徴とする請求項５に記載の計時装置。
【請求項８】
前記制御部は、前記第２の点灯時間経過後に前記点灯部を消灯させた後に、計時開始を起点として前記目標時間より短い第１ユーザ設定時間経過時に前記点灯部の点灯を開始させ、前記計時開始を起点として前記目標時間より長い第２ユーザ設定時間経過時に前記点灯部を消灯させることを特徴とする請求項５に記載の計時装置。
【請求項９】
前記制御部は、前記点灯部が点灯しているときに、予め決められたボタンが押された場合、前記点灯部が点灯している時間を延長することを特徴とする請求項１から８のいずれか一項に記載の計時装置。
【請求項１０】
前記制御部は、前記第２の点灯時間経過後に前記点灯部を消灯させた後に、予め決められたボタンが押された場合、前記点灯部を再度点灯させることを特徴とする請求項１から９のいずれか一項に記載の計時装置。
【請求項１１】
表示部を光らせる点灯部を備える計時装置が実行する点灯方法であって、
第１の点灯時間と該第１の点灯時間より長い第２の点灯時間のうちいずれか一つの点灯時間、前記点灯部を点灯させる制御手順を有することを特徴とする点灯方法。
【請求項１２】
表示部を光らせる点灯部を備える計時装置のコンピュータに、
第１の点灯時間と該第１の点灯時間より長い第２の点灯時間のうちいずれか一つの点灯時間、前記点灯部を点灯させる制御ステップを実行させるための点灯プログラム。
【発明の詳細な説明】
【技術分野】
【０００１】
本発明は、計時装置、点灯方法及び点灯プログラムに関する。
【背景技術】
【０００２】
マラソンやジョギング等の運動時に使用するディジタルウォッチには、夜間や暗い場所でも表示が見えるように、ＬＥＤ（Light Emitting Diode：発光ダイオード）やＥＬ（Electroluminescence Display：電光表示）等の照明機能を備えている。しかし夜間にジョギングをしている時に必要以上の時計操作を強いられることは、不便であり危険である。
それに対し、特許文献１では、腕の姿勢が変わったことを検出するスイッチを有し、使用者が時計を見た姿勢になったと検出した時に照明を点灯させる時計が開示されている。
【先行技術文献】
【特許文献】
【０００３】
【特許文献１】特開平８−２２７５５号公報
【発明の概要】
【発明が解決しようとする課題】
【０００４】
しかしながら、特許文献１に記載の時計では、スイッチの設定（例えば、感度）次第で、使用者（以下、ユーザという）によっては腕の向きを変えても姿勢変化を検出できず照明が点灯しない場合がある。そのような場合には何度も腕を動かしたり、必要以上に強く腕を動かしたりすることが考えられ、暗い場所でジョギングをしている場合にユーザが危険であるという問題がある。
【０００５】
そこで本発明は、上記問題に鑑みてなされたものであり、暗い場所において表示を見る際の操作の安全性を向上させる計時装置、点灯方法及び点灯プログラムを提供することを課題とする。
【課題を解決するための手段】
【０００６】
（１）本発明は前記事情に鑑みなされたもので、本発明の一態様は、表示部を光らせる点灯部と、第１の点灯時間と該第１の点灯時間より長い第２の点灯時間のうちいずれか一つの点灯時間、前記点灯部を点灯させる制御部と、を備えることを特徴とする計時装置である。
【０００７】
（２）上記に記載の計時装置において、本発明の一態様は、前記制御部は、計時を開始した場合、前記第２の点灯時間、前記点灯部を点灯させることを特徴とする。
【０００８】
（３）上記に記載の計時装置において、本発明の一態様は、前記制御部は、予め決められた動作モードのときに、前記第２の点灯時間、前記点灯部を点灯させることを特徴とする。
【０００９】
（４）上記に記載の計時装置において、本発明の一態様は、前記予め決められた動作モードは、暗い場所で使用するナイトランモードであることを特徴とする。
【００１０】
（５）上記に記載の計時装置において、本発明の一態様は、前記制御部は、予め決められた目標時間に基づいて、前記点灯部を点灯または消灯させることを特徴とする。
【００１１】
（６）上記に記載の計時装置において、本発明の一態様は、前記第２の点灯時間は、前記目標時間に所定時間を加算した時間であり、前記制御部は、前記目標時間に所定時間を加算した時間、前記点灯部を点灯させることを特徴とする。
【００１２】
（７）上記に記載の計時装置において、本発明の一態様は、前記制御部は、前記第２の点灯時間経過後に前記点灯部を消灯させた後に、計時開始を起点として前記目標時間より第２の所定時間だけ短い時間経過時に前記点灯部の点灯を開始させ、前記計時開始を起点として前記目標時間より第３の所定時間だけ長い時間経過時に前記点灯部を消灯させることを特徴とする。
【００１３】
（８）上記に記載の計時装置において、本発明の一態様は、前記制御部は、前記第２の点灯時間経過後に前記点灯部を消灯させた後に、計時開始を起点として前記目標時間より短い第１ユーザ設定時間経過時に前記点灯部の点灯を開始させ、前記計時開始を起点として前記目標時間より長い第２ユーザ設定時間経過時に前記点灯部を消灯させることを特徴とする。
【００１４】
（９）上記に記載の計時装置において、本発明の一態様は、前記制御部は、前記点灯部が点灯しているときに、予め決められたボタンが押された場合、前記点灯部が点灯している時間を延長することを特徴とする。
【００１５】
（１０）上記に記載の計時装置において、本発明の一態様は、前記制御部は、前記第２の点灯時間経過後に前記点灯部を消灯させた後に、予め決められたボタンが押された場合、前記点灯部を再度点灯させることを特徴とする。
【００１６】
（１１）本発明の一態様は、表示部を光らせる点灯部を備える計時装置が実行する点灯方法であって、第１の点灯時間と該第１の点灯時間より長い第２の点灯時間のうちいずれか一つの点灯時間、前記点灯部を点灯させる制御手順を有することを特徴とする点灯方法である。
【００１７】
（１２）本発明の一態様は、表示部を光らせる点灯部を備える計時装置のコンピュータに、第１の点灯時間と該第１の点灯時間より長い第２の点灯時間のうちいずれか一つの点灯時間、前記点灯部を点灯させる制御ステップを実行させるための点灯プログラムである。
【発明の効果】
【００１８】
本発明によれば、暗い場所において表示を見る際の操作の安全性を向上させることができる。
【図面の簡単な説明】
【００１９】
【図１】本実施形態における計時装置の概略ブロック図である。
【図２】モード遷移の一例である。
【図３】第１の実施例における第２の点灯時間について説明するための図である。
【図４】第１の実施例における制御部の処理の流れを示すフローチャートの一例である。
【図５】第２の実施例における点灯部の点灯について説明するための図である。
【図６】第２の実施例における制御部の処理の流れを示すフローチャートの一例である。
【図７】第３の実施例における点灯部の点灯について説明するための図である。
【図８】第３の実施例における制御部の処理の流れを示すフローチャートの一例である。
【発明を実施するための形態】
【００２０】
以下、本発明の実施形態について、図面を参照して詳細に説明する。図１は、本実施形態における計時装置１の概略ブロック図である。計時装置1は、入力操作部２と、記憶部３と、発振部４と、表示部５と、点灯部６と、電池７と、報音部８と、制御部１０とを備える。
【００２１】
入力操作部２は、ユーザから入力を受け付け、受け付けた入力を制御部１０に出力する。また、一例として、入力操作部２は、各種のボタンを備える。ここで、各種のボタンとは、例えば、ラップを記録するためのラップボタン、点灯を指示するための点灯ボタン、モード切替ボタン及び計時を開始するための計時開始ボタンである。そして、入力操作部２は、各種のボタンのうちの一つが押された場合、そのボタンが押された旨を制御部１０に出力する。
【００２２】
記憶部３には、制御部１０が読み出して実行するプログラムが記憶されている。また、記憶部３には、現在選択されているモード（以下、現在モードという）が記憶されている。ここで、モードは５種類あり、時計表示モードと、クロノグラフ計測モードと、データ表示モードと、タイマ計測モードと、アラーム設定モードとがある。時計表示モードは、現在の時刻を表示するモードである。クロノグラフ計測モードは、計時を行うモードである。データ表示モードは、クロノグラフ計測モードで計測したラップタイム等を表示するモードである。タイマ計測モードとは、ユーザが設定した時間からカウントダウンし、時間がゼロになったときに報音するモードである。アラーム設定モードは、ユーザがアラームの鳴る時刻を設定するためのモードである。
【００２３】
また、記憶部３には、ナイトランモードがオンかオフかの情報が記憶されている。ここで、ナイトランモードは、夜などの暗い場所で使用するモードであり、そのオンオフは、ユーザによる入力によって設定されるものである。
【００２４】
発振部４は、予め決められた周波数で振動するクロック信号を生成し、生成したクロック信号を制御部１０へ出力する。ここで、予め決められた周波数は、例えば、発振部４が備える水晶振動子により決定されている。
表示部５は、制御部１０の制御に従って、データ（例えば、計時開始からの経過時間、ラップタイム、現在の時刻等）を表示する。
【００２５】
点灯部６は、制御部１０の制御により表示部５を光らせる。これにより、ユーザは、暗闇でも、表示部５に表示されたデータを認識することができる。また、点灯部６は、制御部１０の制御に従って、点灯状態と消灯状態とを切り替える。後述する各実施例では、表示部５を一例として液晶ディスプレイとし、点灯部６を一例として液晶ディスプレイの裏面に配置されたバックライトとして説明する。
【００２６】
電池７は、電源を制御部１０に供給する。
報音部８は、制御部１０の制御に従って、自装置の外部に報音する。報音部８は、例えば、スピーカである。
【００２７】
制御部１０は、入力操作部２からの入力に応じて、記憶部３に記憶されているナイトランモードのオンとオフを切り替える。また制御部１０は、現在のモードに応じたデータ（例えば、計時開始からの経過時間、ラップタイム、現在の時刻等）を表示部５に表示させる。また制御部１０は、発振部４から入力されたクロック信号に基づいて、計時する。また制御部１０は、電池７から供給された電源により駆動する。また、制御部１０は、電池７から供給された電源を記憶部３、発振部４、表示部５、点灯部６及び報音部８に供給する。
【００２８】
また、制御部１０は、入力操作部２からの入力に応じて、予め決められた第１の点灯時間（例えば、２秒間）、点灯部６を点灯させる。これにより、ユーザは、暗闇でも、表示部５に表示されたデータを認識することができる。
また、制御部１０は、ユーザの操作によって入力操作部２の点灯ボタンが押されて点灯ボタンが押された旨を受け取った場合、第１の点灯時間（例えば、２秒）点灯部６を点灯させる。
【００２９】
また、制御部１０は、予め決められたモード（例えば、ナイトランモードがオン）の時に、クロノグラフ計時モードで計時を開始した場合、第１の点灯時間より長い第２の点灯時間（例えば、１分、１０分または３０分）、点灯部６を点灯させる。具体的には、例えば、制御部１０は、記憶部３に記憶されているナイトランモードがオンの場合であって、モードがクロノグラフ計測モードであるときに、入力操作部２から計時開始の入力を受け付けた場合、計時を開始する。そして、制御部１０は、この計時の開始と同時に、第２の点灯時間、点灯部６を点灯させる。これにより、ユーザは、暗闇で計時を開始した場合、表示部５に表示されたデータを第１の点灯時間よりも長い時間、認識することができる。
【００３０】
すなわち、制御部１０は、予め決められた第１の点灯時間と該第１の点灯時間より長い第２の点灯時間のうちいずれか一つの点灯時間、点灯部６を点灯させる。また、制御部１０は、点灯部６が点灯しているときに、予め決められたボタンが押された場合、点灯部６が点灯している時間を延長する。具体的には、例えば、制御部１０は、点灯部６が点灯しているときに、予め決められたボタン（例えば、ラップボタン）が押されてラップボタンが押された旨を入力操作部２から受け取った場合に、ラップボタンが押された時から更に予め決められた時間（例えば、１分）だけ点灯時間を延長する。
【００３１】
また、制御部１０は、第２の点灯時間経過後に点灯部６を消灯させた後に、予め決められたボタン（例えば、ラップボタン）が押された場合、点灯部６を再度点灯させる。より詳細には、制御部１０は、計時開始から第２の点灯時間が経過し点灯部６が消灯した後に、予め決められたボタン（例えば、ラップボタン）が押されて予め決められたボタンが押された旨を入力操作部２から受け取った場合、点灯部６を予め決められた時間（例えば、１分）だけ点灯させる。
【００３２】
また、制御部１０は、計時の開始から予め決められたターゲットタイマの設定時間が経過した時に、報音部８から予め決められた音を出力させる。ここで、ターゲットタイマの設定時間とは、例えば、予め決められた一定の距離を進む（例えば、走る）際の目標時間である。以下、ターゲットタイマの設定時間を目標時間ともいう。これにより、ユーザは、ターゲットタイマが経過したことを知ることができる。また、制御部１０は、予め決められた目標時間に基づいて、点灯部６を点灯または消灯させる。この詳細については、後ほど三つの実施例を挙げて説明する。
【００３３】
また、制御部１０は、入力操作部２から入力されるモードを切り替える旨に応じて、現在モードを切り替える。
図２は、モード遷移の一例である。同図において、モードが時計表示モード２１、クロノグラフ計測モード２２、データ表示モード２３、タイマ計測モード２４、アラーム設定モード２５の順で切り替わることが示されている。
【００３４】
図２の例において、制御部１０は、モード切替ボタンが押されて入力操作部２からモードを切り替える旨が入力される毎に、現在モードを図２に示された順に次のモードに切り替える。例えば、現在モードが時計表示モード２１の場合に入力操作部２からモードを切り替える旨が入力された場合、制御部１０は、現在モードをクロノグラフ計測モード２２に切り替える。また、図２の例において、現在モードがアラーム設定モード２５の場合に入力操作部２からモードを切り替える旨が入力された場合、制御部１０は、現在モードを時計表示モード２１に切り替える。
【００３５】
＜第１の実施例＞
続いて、制御部１０が予め決められたターゲットタイマの設定時間に基づいて点灯部６を点灯または消灯させる第１の実施例について説明する。
図３は、第１の実施例における第２の点灯時間について説明するための図である。同図において、横軸は時間であり、横軸に沿って、クロノグラフ動作とバックライト動作とが示されている。同図において、クロノグラフで計時が開始した時からターゲットタイマの設定時間経過したときに、報音することが示されている。また、クロノグラフで計時が開始した時にバックライトが点灯し、クロノグラフで計時が開始した時から第２の点灯時間経過した時に、バックライトが消灯することが示されている。ここで、第２の点灯時間がターゲットタイマに所定時間を加算した時間であることが示されている。
【００３６】
図４は、第１の実施例における制御部１０の処理の流れを示すフローチャートの一例である。制御部１０は、現在のモードがクロノグラフ計測モードか否か判定する（ステップＳ１０１）。現在のモードがクロノグラフ計測モードでない場合（ステップＳ１０１  ＮＯ）、モードがクロノグラフ計測モードに変わるまでそのまま待機する。一方、現在のモードがクロノグラフ計測モードである場合（ステップＳ１０１  ＹＥＳ）、制御部１０はナイトランモードがオンか否か判定する（ステップＳ１０２）。
【００３７】
ナイトランモードがオフの場合（ステップＳ１０２  ＮＯ）、制御部１０はナイトランモードをオンにする入力が入力操作部２から入力されるまでそのまま待機する。一方、ナイトランモードがオンの場合（ステップＳ１０２  ＹＥＳ）、制御部１０は計時開始ボタンが押されたか否か判定する（ステップＳ１０３）。
【００３８】
計時開始ボタンが押されていない場合（ステップＳ１０３  ＮＯ）、制御部１０は計時開始ボタンが押されるまでそのまま待機する。一方、計時開始ボタンが押された場合（ステップＳ１０３  ＹＥＳ）、制御部１０はバックライトの点灯を開始させ（ステップＳ１０４）、ステップＳ１０５へ遷移する。
【００３９】
次に、制御部１０は計時開始からの経過時間がターゲットタイマの設定時間に到達したか否か判定する（ステップＳ１０５）。計時開始からの経過時間がターゲットタイマの設定時間に到達していない場合（ステップＳ１０５  ＮＯ）、制御部１０はそのまま待機する。一方、計時開始からの経過時間がターゲットタイマの設定時間に到達した場合（ステップＳ１０５  ＹＥＳ）、制御部１０は、報音部８から音を出力させ（ステップＳ１０６）、ステップＳ１０７へ遷移する。
【００４０】
制御部１０は、計時開始からの経過時間が第２の点灯時間に到達したか否か判定する（ステップＳ１０７）。計時開始からの経過時間が第２の点灯時間に到達していない場合（ステップＳ１０７  ＮＯ）、制御部１０はそのまま待機する。一方、計時開始からの経過時間が第２の点灯時間に到達した場合（ステップＳ１０７  ＹＥＳ）、制御部１０はバックライトを消灯し（ステップＳ１０８）、ステップＳ１０９へ遷移する。
【００４１】
次に、制御部１０はラップボタンが押されたか否か判定する（ステップＳ１０９）。ラップボタンが押された場合（ステップＳ１０９  ＹＥＳ）、制御部１０はバックライトを１分点灯させ（ステップＳ１１０）、ステップ１１１へ遷移する。一方、ラップボタンが押されていない場合（ステップＳ１０９  ＮＯ）、制御部１０はステップＳ１１１へ遷移する。
【００４２】
次に、制御部１０はストップボタンが押されたか否か判定する（ステップＳ１１１）。ストップボタンが押されていない場合（ステップＳ１１１  ＮＯ）、制御部１０はステップＳ１０９へ遷移する。一方、ストップボタンが押された場合（ステップＳ１１１  ＹＥＳ）、制御部１０はその処理を終了する。以上で、本フローチャートの処理を終了する。
【００４３】
以上、第１の実施例では、第２の点灯時間はターゲットタイマの設定時間に所定時間を加算した時間であり、制御部１０は、ターゲットタイマの設定時間に所定時間を加算した時間、点灯部６を点灯させる。これにより、ユーザは、暗い場所であっても、計時開始からターゲットタイマの設定時間に所定時間を加算した時間の間、表示部５に表示されたデータを認識することができる。その結果、ユーザは暗い場所において追加の操作をすることなく表示部５に表示されたデータ（例えば、計時開始からの経過時間）を認識することができるので、計時装置１は、暗い場所において表示を見る際の操作の安全性を向上させることができる。
【００４４】
＜第２の実施例＞
続いて、制御部１０が予め決められたターゲットタイマの設定時間に基づいて点灯部６を点灯または消灯させる第２の実施例について説明する。
図５は、第２の実施例における点灯部６の点灯について説明するための図である。同図において、横軸は時間であり、横軸に沿ってクロノグラフ動作とバックライト動作とが示されている。同図において、計時開始からターゲットタイマの設定時間経過した時に報音することが示されている。また、同図において、バックライトが点灯してから第１の所定時間経過後に消灯することが示されている。ここで、第１の所定時間は、第２の点灯時間の一例である。また、同図において、計時開始から、ターゲットタイマの設定時間より第２の所定時間だけ短い時間経過時にバックライトが点灯し、計時開始から、ターゲットタイマの設定時間より第３の所定時間だけ長い時間経過時にバックライトが消灯することが示されている。
【００４５】
図６は、第２の実施例における制御部１０の処理の流れを示すフローチャートの一例である。ステップＳ２０１〜ステップＳ２０４の処理は、図４のステップＳ１０１〜ステップＳ１０４の処理と同一であるので、その説明を省略する。
次に、ステップＳ２０５において、計時開始からの経過時間が第１の所定時間に到達したか否か判定する（ステップＳ２０５）。計時開始からの経過時間が第１の所定時間に到達した場合（ステップＳ２０５  ＹＥＳ）、制御部１０はバックライトを消灯させ（ステップＳ２０６）、ステップＳ２０７へ遷移する。一方、計時開始からの経過時間が第１の所定時間に到達していない場合（ステップＳ２０５  ＮＯ）、制御部１０は第１の所定時間に到達するまで待機する。
【００４６】
次に、ステップ２０７において、計時開始からの経過時間が、ターゲットタイマの設定時間から第２の所定時間を減算した時間に到達したか否か判定する（ステップＳ２０７）。計時開始からの経過時間が、ターゲットタイマの設定時間から第２の所定時間を減算した時間に到達していない場合（ステップＳ２０７  ＮＯ）、制御部１０は計時開始からの経過時間が、ターゲットタイマの設定時間から第２の所定時間を減算した時間に到達するまで待機する。一方、計時開始からの経過時間が、ターゲットタイマの設定時間から第２の所定時間を減算した時間に到達していない場合（ステップＳ２０７  ＹＥＳ）、制御部１０はバックライトの点灯を開始させ（ステップＳ２０８）、ステップＳ２０９へ遷移する。
【００４７】
次に、ステップ２０９において、制御部１０は計時開始からの経過時間が、ターゲットタイマの設定時間に第３の所定時間を加算した時間に到達したか否か判定する（ステップＳ２０９）。計時開始からの経過時間が、ターゲットタイマの設定時間に第３の所定時間を加算した時間に到達していない場合（ステップＳ２０９  ＮＯ）、計時開始からの経過時間が、ターゲットタイマの設定時間に第３の所定時間を加算した時間に到達するまで待機する。一方、計時開始からの経過時間が、ターゲットタイマの設定時間に第３の所定時間を加算した時間に到達した場合（ステップＳ２０９  ＹＥＳ）、制御部１０はバックライトを消灯させ（ステップＳ２１０）、ステップＳ２１１へ遷移する。ステップＳ２１１からステップＳ２１３までの処理は、図４のステップ１０９からステップＳ１１１までの処理と同一であるのでその説明を省略する。以上で、本フローチャートの処理を終了する。
【００４８】
以上、第２の実施例において、制御部１０は、計時開始を起点として目標時間より第２の所定時間だけ短い時間経過時に点灯部６の点灯を開始させる。そして、制御部１０は、計時開始を起点として目標時間より第３の所定時間だけ長い時間経過時に点灯部６を消灯させる。
【００４９】
これにより、ユーザは、暗い場所であっても、計時開始を起点として目標時間より第２の所定時間だけ短い時間経過時から目標時間より第３の所定時間だけ長い時間経過時までの間、表示部５に表示されたデータを認識することができる。その結果、ユーザは暗い場所において追加の操作をすることなく表示部５に表示されたラップタイムを認識することができるので、計時装置１は、暗い場所において表示を見る際の操作の安全性を向上させることができる。
【００５０】
なお、第２の実施例において制御部１０は、ターゲットタイマの設定時間、ラップのずれ時間、ラップの回数、計時装置１を使用しているユーザの能力（例えば、走力）のうち少なくとも一つに基づいて、第２の所定時間又は第３の所定時間を決定してもよい。ここで、ラップのずれ時間とは、ターゲットタイマの設定時間と実際のラップタイムとの時間差である。また、ユーザの能力とは、例えば、ユーザの走力が予め決められた数の段階（例えば、５段階）に分けられているとした場合における段階のことである。
【００５１】
一例として、制御部１０は、予め決められたボタン（例えば、ラップボタン）が押された場合に、ターゲットタイマの設定時間よりも前にずれた場合、このずれた時間をラップのずれ時間として、このラップのずれ時間だけ消灯する時間を早くしてもよい。また、その場合に、制御部１０は、次に点灯する際にこのラップのずれ時間に応じた時間（例えば、ラップのずれ時間）点灯し始める時間を早くしてもよい。
【００５２】
同様に、一例として、制御部１０は、予め決められたボタン（例えば、ラップボタン）が押された場合に、ターゲットタイマの設定時間よりも後にずれた場合、このずれた時間をラップのずれ時間として、このラップのずれ時間だけ消灯する時間を遅くしてもよい。また、その場合に、制御部１０は、次に点灯する際にこのラップのずれ時間に応じた時間（例えば、ラップのずれ時間）点灯し始める時間を遅くしてもよい。
【００５３】
また、一例として、制御部１０は、予め決められたボタン（例えば、ラップボタン）が押された場合に、ターゲットタイマの設定時間よりも前にずれた場合、このずれた時間をラップのずれ時間として、点灯時間をラップのずれ時間に応じた時間（例えば、ラップのずれ時間の２倍の時間）だけ長くしてもよい。
【００５４】
ランニング能力が低い段階の場合には、ターゲットタイマの設定時間と実際のラップタイムとの時間差が大きくなることが想定されるので、ランニング能力が低い段階にあるほど、制御部１０は、第２の所定時間又は第３の所定時間を長くするようにしてもよい。
【００５５】
＜第３の実施例＞
続いて、制御部１０が予め決められたターゲットタイマの設定時間に基づいて点灯部６を点灯または消灯させる第３の実施例について説明する。
図７は、第３の実施例における点灯部６の点灯について説明するための図である。同図において、横軸は時間であり、その横軸に沿ってクロノグラフ動作とバックライト動作とが示されている。同図において、計時開始からターゲットタイマの設定時間経過した時に報音することが示されている。また、同図において、計時開始と同時にバックライトが点灯を開始し、計時開始から第１の所定時間経過時にバックライトが消灯することが示されている。また、同図において、計時開始から第１ユーザ設定時間経過時にバックライトが点灯を開始し、計時開始から第２ユーザ設定時間経過時にバックライトが消灯することが示されている。
【００５６】
図８は、第３の実施例における制御部１０の処理の流れを示すフローチャートの一例である。ステップＳ３０１〜ステップＳ３０４の処理は、図４のステップＳ１０１〜ステップＳ１０４の処理と同一であるので、その説明を省略する。
次に、ステップＳ３０５において、制御部１０は計時開始からの経過時間が第１の所定時間に到達したか否か判定する（ステップＳ３０５）。計時開始からの経過時間が第１の所定時間に到達していない場合（ステップＳ３０５  ＮＯ）、制御部１０は計時開始からの経過時間が第１の所定時間に到達するまで待機する。一方、計時開始からの経過時間が第１の所定時間に到達した場合（ステップＳ３０５）、制御部１０はバックライトを消灯させる（ステップＳ３０６）。
【００５７】
次に、制御部１０は、計時開始からの経過時間が第１ユーザ設定時間に到達したか否か判定する（ステップＳ３０７）。計時開始からの経過時間が第１ユーザ設定時間に到達していない場合（ステップＳ３０７  ＮＯ）、制御部１０は、計時開始からの経過時間が第１ユーザ設定時間に到達するまで待機する。一方、計時開始からの経過時間が第１ユーザ設定時間に到達した場合（ステップＳ３０７  ＹＥＳ）、制御部１０はバックライトの点灯を開始させ（ステップＳ３０８）、ステップＳ３０９に遷移する。
【００５８】
次にステップＳ３０９において、制御部１０は計時開始からの経過時間が第２ユーザ設定時間に到達した否か判定する（ステップＳ３０９）。計時開始からの経過時間が第２ユーザ設定時間に到達していない場合（ステップＳ３０９  ＮＯ）、制御部１０は、計時開始からの経過時間が第２ユーザ設定時間に到達するまで待機する。一方、計時開始からの経過時間が第２ユーザ設定時間に到達した場合（ステップＳ３０９  ＹＥＳ）、制御部１０はバックライトを消灯させ（ステップＳ３１０）、ステップＳ３１１に遷移する。ステップＳ３１１からステップＳ３１３までの処理は、図４のステップ１０９からステップＳ１１１までの処理と同一であるのでその説明を省略する。以上で、本フローチャートの処理を終了する。
【００５９】
以上、第３の実施例において、制御部１０は、第２の点灯時間経過後に点灯部６を消灯させた後に、計時開始を起点として目標時間より短い第１ユーザ設定時間経過時に点灯部６の点灯を開始させる。そして、制御部１０は計時開始を起点として目標時間より長い第２ユーザ設定時間経過時に点灯部６を消灯させる。
【００６０】
これにより、ユーザは、暗い場所であっても、計時開始を起点として第１ユーザ設定時間経過時から第２ユーザ設定時間経過時までの間、表示部５に表示されたデータを認識することができる。その結果、ユーザは暗い場所において追加の操作をすることなく表示部５に表示されたラップタイムを認識することができるので、計時装置１は、暗い場所において表示を見る際の操作の安全性を向上させることができる。
【００６１】
なお、第３の実施例では、ユーザにより入力された第１ユーザ設定時間と第２ユーザ設定時間とにより点灯と消灯の時刻が決められたが、これに限らず、ユーザにより入力されたターゲットタイマの設定時間と時間幅とにより点灯と消灯の時刻が決められてもよい。例えば、制御部１０は、ターゲットタイマの設定時間からその時間幅の半分の時間だけ前の時刻に点灯を開始し、ターゲットタイマの設定時間からその時間幅の半分の時間だけ後の時刻に消灯するようにしてもよい。
【００６２】
また、本実施形態の計時装置１の各処理を実行するためのプログラムをコンピュータ読み取り可能な記録媒体に記録して、当該記録媒体に記録されたプログラムをコンピュータシステムに読み込ませ、実行することにより、計時装置１に係る上述した種々の処理を行ってもよい。
【００６３】
なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６５】
以上、本発明の実施形態について図面を参照して詳述したが、具体的な構成はこの実施形態に限られるものではなく、この発明の要旨を逸脱しない範囲の設計等も含まれる。
【符号の説明】
【００６６】
１  計時装置
２  入力操作部
３  記憶部
４  発振部
５  表示部
６  点灯部
７  電池
８  報音部
１０  制御部
【図１】
2013156017.tif 000003
【図２】
2013156017.tif 000004
【図３】
2013156017.tif 000005
【図４】
2013156017.tif 000006
【図５】
2013156017.tif 000007
【図６】
2013156017.tif 000008
【図７】
2013156017.tif 000009
【図８】
2013156017.tif 000010